(57)【要約】【課題】  デジタルセファロＸ線撮影時において、そのセファロＸ線画像管理とセファロＸ線画像分析を行う場合、画像管理時に撮影画像の取り込み、保存、あるいは患者登録を行い、その画像分析時に再び保存画像の取り込み、患者登録を行っている。このように画像の取り込み、患者登録を二回行うという煩雑な操作を行うことなく、撮影後のセファロ画像の分析を素早く行うことを特徴とするデジタルセファロＸ線撮影装置を提供する。【解決手段】  デジタルセファロＸ線撮影において、セファロＸ線画像管理を行う画像管理ソフトとセファロＸ線画像分析を行う画像分析ソフトをリンクさせて、画像管理ソフトで表示させているセフアロ撮影画像から、画像分析ソフトを起動させて、画像管理で表示されているセファロ画像から直接、そのセファロ画像の分析を行えるようにする。【選択図】  図１
2006116050.tif 000002
【特許請求の範囲】
【請求項１】
歯科矯正領域で用いられるイヤーロットを基準として、被検者の頭部位置を設定しＣＣＤセンサー、イメージインテンシファイア、ＦＰ型２次元センサー等の受像装置にて撮影を行う、所謂デジタルセファロＸ線撮影装置あるいはパノラマ・セファロ兼用型Ｘ線撮影装置において、セファロ画像を取り込み管理するセファロ画像管理手段と、セファロ画像を表示するセファロ画像表示手段と、セファロ画像を分析するセファロ画像分析手段と、を設けたことを特徴とするデジタルセファロＸ線撮影装置及びパノラマ・セファロ兼用型Ｘ線撮影装置。
【請求項２】
前記セファロ画像分析手段である画像分析ソフトが、前記画像管理手段である画像管理ソフトとリンクすることにより画像管理ソフトから画像分析ソフトを起動することが出来ることを特徴とした請求項１に記載のデジタルセファロＸ線撮影装置及びパノラマ・セフ
【発明の詳細な説明】
【技術分野】
【０００１】
本発明は、セファロＸ線撮影画像の画像管理、画像表示及び画像分析におけるデジタルセファロＸ線撮影装置に関する。
【０００２】
さらに詳しくは、デジタルセファロ撮影において、セファロＸ線撮影画像の画像管理ソフトとセファロＸ線撮影画像の画像分析ソフトをリンクして、画像管理ソフトで表示されているセファロ画像から、そのセファロ画像を分析する画像分析ソフトを起動できるようにしたセファロＸ線撮影画像の画像管理と画像表示及び画像分析に関するデジタルセファロＸ線撮影装置。
【背景技術】
【０００３】
従来、セファロＸ線画像の画像管理ソフトは、画像情報の保存、画像情報の表示、画像データの検索、画像データの選択、患者情報の保存、患者情報の表示、患者データの検索、患者データの登録及び患者データの選択等の管理を行っている。またセファロＸ線画像の画像分析ソフトは、患者データの登録、セファロ画像の取り込み、セファロ画像の編集、削除、保存、分析を行いセファロ画像の分析では、セファロ画像の側貌の計測、セファロ画像の正面の計測、模型計測等を行うものである。デジタルセファロ撮影において、セファロＸ線撮影画像の撮影、画像管理ソフトとセファロＸ線撮影の画像分析ソフトは、各々、別々に起動させるため、例えば撮影後保存した画像を分析する場合、画像分析ソフトを起動させ画像を取り込む必要がある。また各々のソフトで患者データの登録も必要になる。このように各々、別々に起動させるため撮影画像の取り込み、あるいは患者データの登録が両方のソフト起動時に必要になる。このことから取得したセファロ画像の分析を行うまでの操作手順が煩雑になり撮影後すぐにセファロ画像の分析を行うことができない。
【発明の開示】
【発明が解決しようとする課題】
【０００４】
本発明は、以上の状況を鑑みなされたもので、その解決しようとする課題は、以下の通りである。デジタルセファロＸ線撮影において、そのセファロＸ線画像管理とセファロＸ線画像分析を行う場合、画像管理ソフトを起動させ撮影画像の取り込み、保存、あるいは患者登録を行っている。また、そのセファロ画像の分析を行う場合は、画像分析ソフトを起動させて保存画像の取り込み、あるいは再度の患者登録を行っている。このように画像管理ソフトと画像分析ソフトを各々、別々に起動させているため、画像の取り込み、あるいは患者登録を二回行うことになり煩雑な操作を行うことになる。また、撮影後のセファロ画像の分析を素早く行うことができない。
【課題を解決するための手段】
【０００５】
デジタルセファロＸ線撮影において、セファロＸ線画像管理を行う画像管理ソフトとセファロＸ線画像分析を行う画像分析ソフトをリンクさせて、画像管理ソフトで表示させているセフアロ撮影画像から、そのセファロ画像を分析するための画像分析ソフトを起動できるようにして、画像管理で表示されているセファロ画像から直接、そのセファロ画像の分析を行えるようにする。
【発明の効果】
【０００６】
デジタルセファロＸ線撮影において、セファロＸ線画像管理を行う画像管理ソフトとセファロＸ線画像分析を行う画像分析ソフトをリンクすることにより、画像管理ソフトと画像分析ソフトを別々に起動させていたものを、画像管理ソフトから画像分析ソフトを起動できるため画像の取り込み、患者登録を複数回行うことがなくなる。これにより煩雑な操作がなくなり、撮影後のセファロ画像の分析を素早く行うことができる。
【発明を実施するための最良の形態】
【０００７】
デジタルセファロＸ線撮影装置において、画像管理におけるセファロＸ線画像の表示から直接画像分析を行えるようにする。
【実施例】
【０００８】
以下実施例に基づいて説明する。図１は、本発明に係るデジタルセファロＸ線撮影装置の外観図であり、図２は、従来のデジタルセファロＸ線撮影装置のセファロ画像管理処理及びセファロ画像分析処理の手順を説明するためのフローチャートの１部である。図３は、本発明に係るデジタルセファロＸ線撮影装置のセファロ画像管理/分析処理の手順を説明するためのフローチャートの１部である。図１に示すデジタルセファロＸ線撮影装置１は、画像管理手段、画像表示手段、画像分析手段を備えたパーソナルコンピュータ２により構成されている。図２は、セファロ画像管理処理及びセファロ画像分析処理のフローチャートであるが、１つは画像管理処理に関するフローチャートで患者の登録(ステップＳ１)後、その画像の取り込み(ステップＳ２)、画像の保存(ステップＳ３)、画像の表示(ステップＳ４)を行う。もう１つは画像分析処理のフローチャートで同じように患者の登録(ステップＳ１)後、その画像の取り込み(ステップＳ２)、画像の保存(ステップＳ３)、画像の表示(ステップＳ４)、画像の分析(ステップＳ５)を行う。２つのフローチャートからわかるようにセファロ画像管理を行う場合とセファロ画像分析を行う場合とで、患者の登録、画像の取り込み、画像の保存を同じように行っている。このように２つの処理を別々に行うようになっているため、同じ操作を２回行うことになり操作者にとっては煩雑な操作になることがわかる。図３は、２つの処理である画像管理処理と画像分析処理を１つにしたセファロ画像管理/分析処理のフローチャートである。これは患者の登録(ステップＳ１)、画像の取り込み(ステップＳ２)、画像の保存(ステップＳ３)、画像の表示(ステップＳ４)の処理から画像の分析(ステップＳ５)の処理に直ちに入ることができ同じ操作を２回行うというような操作者の煩雑な操作がなくなる。また分析処理に入るまでの時間の短縮にも繋がる。
【図面の簡単な説明】
【０００９】
【図１】本発明に係るデジタルセファロＸ線撮影装置の構成図の１例である。
【図２】従来のデジタルセファロＸ線撮影装置のセファロ画像管理処理及びセファロ画像分析処理を行う手順を説明するためのフローチャートの１部である。
【図３】本発明に係るデジタルセファロＸ線撮影装置のセファロ画像管理/分析処理を行う手順を説明するためのフローチャートの１部である。
【符号の説明】
【００１０】
１  デジタルセファロＸ線撮影装置
２  パーソナルコンピュータ
【図１】
2006116050.tif 000003
【図２】
2006116050.tif 000004
【図３】
2006116050.tif 000005